(57)【要約】【課題】エンジン始動性の向上と高い動力伝達効率の確保を両立させることができる車両用トルクコンバータを提供すること。【解決手段】エンジンとトランスミッションとの間に配置され、前記エンジンの出力軸に接続されたポンプインペラ２と前記トランスミッションの入力軸に接続されたタービンランナ３を対向させて配置し、これらのポンプインペラ２とタービンランナ３との間にステータ４を配置するとともに、作動油圧によってＯＮ／ＯＦＦして所定の条件下において前記出力軸と前記入力軸とを直結するロックアップクラッチ９を設け、内部にトルク伝達媒体であるオイルを充填して構成される車両用トルクコンバータ１において、ロックアップクラッチ９のＯＦＦ時の作動油の排出経路Ａ，Ｂの１つである排出経路Ｂに開口する連通孔１０ｂをエンジン回転数に応じて開閉する開閉機構２６を設ける。【選択図】図１
2019184021.tif 000002
【特許請求の範囲】
【請求項１】
エンジンとトランスミッションとの間に配置され、
前記エンジンの出力軸に接続されたポンプインペラと前記トランスミッションの入力軸に接続されたタービンランナを対向させて配置し、これらのポンプインペラとタービンランナとの間にステータを配置するとともに、作動油圧によってＯＮ／ＯＦＦして所定の条件下において前記出力軸と前記入力軸とを直結するロックアップクラッチを設け、内部にトルク伝達媒体であるオイルを充填して構成される車両用トルクコンバータにおいて、
前記ロックアップクラッチのＯＦＦ時の作動油の排出経路の１つに開口する連通孔をエンジン回転数に応じて開閉する開閉機構を設けたことを特徴とする車両用トルクコンバータ。
【請求項２】
前記エンジンのトルク変動を吸収するダンパーディスクを前記タービンランナに取り付け、該ダンパーディスクのハブに前記連通孔とこれを開閉する前記開閉機構を設けたことを特徴とする請求項１に記載の車両用トルクコンバータ。
【請求項３】
前記開閉機構は、前記ダンパーディスクのハブに形成された空間内に、径方向に沿って移動可能な遠心ウェイトと、該遠心ウェイトを径方向内方に付勢する付勢手段を収容して構成されることを特徴とする請求項２に記載の車両用トルクコンバータ。
【請求項４】
前記付勢手段は、リターンスプリングによって構成されることを特徴とする請求項３に記載の車両用トルクコンバータ。
【請求項５】
前記開閉機構は、エンジン回転数がアイドル回転数以下では前記連通孔を開き、エンジン回転数がアイドル回転数を超えると前記連通孔を閉じることを特徴とする請求項１〜４のいずれかに記載の車両用トルクコンバータ。
【発明の詳細な説明】
【技術分野】
【０００１】
本発明は、入力側のトルクを増幅して出力側に伝達するための車両用トルクコンバータに関する。
【背景技術】
【０００２】
例えば、エンジンを駆動源とする車両の動力伝達系には、エンジンの動力をトランスミッションに伝達するためのトルクコンバータがエンジンとトランスミッションとの間に設けられている。このトルクコンバータは、滑らかなクラッチ機能とトルク増幅機能を果たすものであって、ハウジング内の密閉空間に、エンジンの出力軸に接続されたポンプインペラとトランスミッションの入力軸に接続されたタービンランナを対向させて配置し、これらのポンプインペラとタービンランナとの間にステータを配置するとともに、トルク伝達媒体であるオイルを充填して構成されている。
【０００３】
上述のように構成されたトルクコンバータにおいて、エンジンの出力軸によってポンプインペラが回転駆動されると、粘性によってポンプインペラと共に回転するオイルが遠心力によってポンプインペラの外周からタービンランナに向かって送り出され、このオイルは、ハウジングの内面に沿ってタービンランナへと流れ込む。このタービンランナへと流れ込んだオイルが慣性力によって該タービンランナを回転させるため、このタービンランナに接続されたトランスミッションの入力軸が回転し、エンジンの動力がオイルを介してトランスミッションの入力軸へと伝達される。このため、トルクコンバータは、摩擦クラッチなどの機械式クラッチに比して滑らかなクラッチ機能を果たすことができる。
【０００４】
また、トルクコンバータにおいてポンプインペラとタービンランナとの間に配置されたステータは、タービンランナを回転させたオイルを整流してポンプインペラへと誘導することによってトルク増幅機能を果たす。
【０００５】
ところで、斯かるトルクコンバータを搭載した車両が例えば信号待ちのために、エンジンを駆動した状態でシフトレバーを走行レンジ（Ｄレンジ）に入れたたまま、ブレーキを踏んだ状況、すなわち、エンジン動力がトルクコンバータに入力されてポンプインペラが回転しているが、タービンランナが停止している状況においては、エンジン動力は、ポンプインペラのオイルの攪拌によって熱エネルギに変換されるためにエネルギーロスが大きくなるとともに、オイルの温度が上昇するという問題が発生する。
【０００６】
そこで、特許文献１には、タービンランナのタービンシェルの外周部に、該タービンシェル内外を連通させる連通孔を形成するとともに、該連通孔に、タービンランナの停止時に前記連通孔を開き、該タービンランナの回転に伴って発生する遠心力によって前記連通孔を閉じる開閉機構を設けた可変容量トルクコンバータが提案されている。
【０００７】
斯かる可変容量トルクコンバータによれば、タービンランナの停止時には開閉機構によって連通孔が開いて該連通孔を介してオイルがタービンシェル外に流出するためにポンプインペラの回転抵抗（オイルの攪拌抵抗）が低減され、エネルギーロスとオイルの昇温が抑えられる。そして、タービンランナが回転すると、この回転に伴って開閉機構によって連通孔が閉じられるため、当該可変容量トルクコンバータの動力伝達効率が高められる。
【先行技術文献】
【特許文献】
【０００８】
【特許文献１】特許第２８２１８００号公報
【発明の概要】
【発明が解決しようとする課題】
【０００９】
ところで、トルクコンバータは、滑らかなクラッチ機能とトルク増幅機能という２つの有利な点を有する反面、オイルを媒体として動力を伝達するために機械式クラッチに比して動力伝達効率が低いという問題がある。
【００１０】
そこで、トルクコンバータにおいてステータによるトルク増幅効果が薄れる領域、つまり、ポンプインペラとタービンランナの回転速度が近づくためにトルク増幅機能を必要としない領域においては、入出力軸を直結して高い動力伝達効率を確保するためのロックアップクラッチ（ＬＣ）を設けることが行われている。このロックアップクラッチは、オイルポンプからトルクコンバータへと供給される作動油（圧油）の圧力によってＯＮ（接続）／ＯＦＦ（切断）され、特にロックアップクラッチがＯＦＦ（切断）状態にあるときの作動油の流れがエンジンの始動性やトルクコンバータの動力伝達効率に影響を及ぼすことが知られている。
【００１１】
ところで、上記のようなトルクコンバータでは、エンジンの始動時の急なオイルの供給によってトルクコンバータ内部の圧力が高まる場合がある。これに対して、従来のトルクコンバータには、ロックアップクラッチＯＦＦ時の作動油の流れを制御する手段が設けられていなかった。そのため、トルクコンバータ内部の圧力が高まることによって意図しないロックアップクラッチの締結が生じる可能性があり、それによってエンジンストール（エンスト）が発生するおそれがあった。
【００１２】
また、エンジン回転数が高くなった場合においても、トルクコンバータ内部のオイルが流出することによるトルクコンバータ容量の減少によって、ポンプインペラからオイルを介してタービンランナへと伝達される動力に損失が生じる場合があり、このことがトルクコンバータの動力伝達効率の向上の妨げとなるおそれがある。このため、エンジン始動性の向上と高い動力伝達効率の確保を両立させることに対しての課題があった。
【００１３】
本発明は、上記実情に鑑みてなされたもので、その目的は、エンジン始動性の向上と高い動力伝達効率の確保を両立させることができる車両用トルクコンバータを提供することにある。
【課題を解決するための手段】
【００１４】
上記目的を達成するため、本発明は、エンジンとトランスミッションとの間に配置され、前記エンジンの出力軸に接続されたポンプインペラ（２）と前記トランスミッションの入力軸に接続されたタービンランナ（３）を対向させて配置し、これらのポンプインペラ（２）とタービンランナ（３）との間にステータ（４）を配置するとともに、作動油圧によってＯＮ／ＯＦＦして所定の条件下において前記出力軸と前記入力軸とを直結するロックアップクラッチ（９）を設け、内部にトルク伝達媒体であるオイルを充填して構成される車両用トルクコンバータ（１）において、前記ロックアップクラッチ（９）ＯＦＦ時の作動油の排出経路（Ａ，Ｂ）の１つ（Ｂ）に開口する連通孔（１０ｂ）をエンジン回転数に応じて開閉する開閉機構（２６）を設けたことを特徴とする。
【００１５】
本発明によれば、エンジン始動時のようにエンジン回転数が低いときに開閉機構によって連通孔を開ければ、排出経路を流れる作動油が連通孔を抵抗なくスムーズに流れる。これにより、急なオイルの供給に伴うトルクコンバータ内部の圧力上昇を抑制することができるので、エンジンの始動時の意図しないロックアップクラッチの締結によるエンスト（エンジンストール）を防止でき、エンジンの始動性（エンストに対する耐性）が高められる。
【００１６】
また、エンジン始動後、エンジン回転数が高くなると、開閉機構によって連通孔を閉じれば、排出経路に沿う作動油の流れが遮断され、ポンプインペラの回転トルクがオイルを介してタービンランナへと効率良く伝達されるために動力伝達効率が高められる。この結果、車両のエンジン始動性の向上とトルクコンバータの高い動力伝達効率の確保を両立させることができる。
【００１７】
また、本発明では、前記エンジンのトルク変動を吸収するダンパーディスク（８）を前記タービンランナ（３）に取り付け、該ダンパーディスク（８）のハブ（１０）に前記連通孔（１０ｂ）とこれを開閉する前記開閉機構（２６）を設けてもよい。
【００１８】
また、本発明では、前記開閉機構（２６）は、前記ダンパーディスク（８）のハブ（１０）に形成された空間（Ｓ３）内に、径方向に沿って移動可能な遠心ウェイト（２４）と、該遠心ウェイト（２４）を径方向内方に付勢する付勢手段（２５）を収容して構成されるものとしてもよい。
【００１９】
また、本発明では、前記付勢手段（２５）は、リターンスプリングによって構成されるものとしてもよい。
【００２０】
また、本発明では、前記開閉機構（２６）は、エンジン回転数がアイドル回転数以下では前記連通孔（１０ｂ）を開き、エンジン回転数がアイドル回転数を超えると前記連通孔（１０ｂ）を閉じるようにしてもよい。
【発明の効果】
【００２１】
本発明によれば、車両のエンジン始動性の向上とトルクコンバータの高い動力伝達効率の確保を両立させることができる。
【図面の簡単な説明】
【００２２】
【図１】本発明にかかる車両用トルクコンバータの半裁断面図である。
【図２】（ａ）〜（ｃ）は図１のＸ部拡大詳細図である。
【発明を実施するための形態】
【００２３】
以下に本発明の実施の形態を添付図面に基づいて説明する。
【００２４】
図１は本発明にかかる車両用トルクコンバータ（以下、単に「トルクコンバータ」と称する）の半裁断面図であり、図示のトルクコンバータ１は、不図示のエンジンを駆動源とする車両の動力伝達系におけるエンジンと不図示のトランスミッションとの間に設けられるものであって、エンジンから出力軸（クランク軸）へと出力される動力をトルク伝達媒体であるオイルを介してトランスミッションの入力軸に伝達するものであって、滑らかなクラッチ機能とトルク増幅機能を備えるものである。なお、本実施の形態では、トランスミッションとして自動変速機（ＡＴ）が使用されている。
【００２５】
トルクコンバータ１は、エンジンの出力軸によって回転駆動されるポンプインペラ２と、このポンプインペラ２に対向して配置されたタービンランナ３を備えており、これらのポンプインペラ２とタービンランナ３との間には、ステータ４が配置されている。
【００２６】
上記ポンプインペラ２は、椀状のポンプシェル２Ａの外周部に近い内面に複数のインペラブレード２ａを周方向に等角度ピッチで配列して構成されており、ポンプシェル２Ａは、同じく椀状のコンバータカバー５に結着されている。そして、これらのポンプシェル２Ａとコンバータカバー５によって密閉空間Ｓが形成されており、この密閉空間Ｓには、トルク伝達媒体として粘度の低いオイルが充填されている。ここで、コンバータカバー５は、エンジンの出力軸（クランク軸）に接続されており、エンジンから出力される動力が伝達される出力軸の回転は、コンバータカバー５へと伝達され、後述のように該コンバータカバー５がポンプインペラ２と共に一体に回転する。
【００２７】
前記タービンランナ３もポンプインペラ２と同様に、椀状のタービンシェル３Ａの外周部に近いポンプインペラ２に対向する内面に複数のタービンブレード３ａを周方向に等角度ピッチで配列して構成されている。そして、ポンプインペラ２とタービンランナ３との間には、羽根車である前記ステータ４が配置されており、このステータ４の外周には、オイルの流れを整流してトルク増幅を行うための複数のステータブレード４ａが周方向に等角度ピッチで配列されている。なお、このステータ４にはワンウェイクラッチ６が設けられており、ステータ４は、ワンウェイクラッチ６の作用によって静止または空転することができる。ここで、ポンプインペラ２とステータ４とは、両者間に介設された軸受（スラストベアリング）７によって相対回転可能に支持されている。
【００２８】
ところで、本実施の形態にかかるトルクコンバータ１においては、前記密閉空間Ｓのタービンランナ３とコンバータカバー５との間には、ダンパーディスク８とロックアップクラッチ９が収容されている。
【００２９】
上記ダンパーディスク８は、エンジンのトルク変動を吸収するためのものであって、トランスミッションの入力軸にスプライン嵌合によって結着されたハブ１０と、このハブ１０の外周から径方向外方に向って延びるフランジ部１０Ａの両側に相対回転可能に配置されたリング状のディスクプレート１１，１２と、ハブ１０と両ディスクプレート１１，１２の間に縮装された複数の圧縮コイルスプリング１３（図１には１つのみ図示）を含んで構成されている。なお、ダンパーディスク８とステータ４とは、両者間に介設された軸受（スラストベアリング）１４によって相対回転可能に支持されている。また、複数（通常は４つ）の圧縮コイルスプリング１３は、周方向に等角度ピッチで配置されている。
【００３０】
ここで、両ディスクプレート１１，１２とタービンランナ３（タービンシェル３Ａ）とは連結ピン１５によって連結されており、この連結ピン１５は、ハブ１０のフランジ部１０Ａに形成された周方向に長い長孔１０ａを貫通している。したがって、連結ピン１５がハブ１０のフランジ部１０Ａに形成された長孔１０ａ内を周方向に移動し得る角度範囲においてタービンランナ３とディスクプレート８とはハブ１０に対して周方向に相対回転可能である。このため、後述のようにタービンランナ３を経て伝達されるエンジンのトルク変動は、ダンパーディスク８の両ディスクプレート１１，１２とハブ１０との相対回転に伴う複数の圧縮コイルスプリング１３の弾性変形によって吸収される。ここで、ハブ１０は、トランスミッションの入力軸にスプライン嵌合されており、両者は一体に回転する。また、ダンパーディスク８（ハブ１０）とコンバータカバー５とは、両者間に介設された軸受（スラストベアリング）１６によって相対回転可能に支持されている。
【００３１】
前記ロックアップクラッチ９は、ダンパーディスク８のハブ１０の外周に軸方向（図１の左右方向）に摺動可能にスプライン嵌合するリングプレート状のピストン１７と、このピストン１７の外周部のコンバータカバー５の内面に対向する外面に取り付けられたリング状の摩擦部材１８によって構成されている。なお、ダンパーディスク８とコンバータカバー５との間の空間は、ピストン１７によって締結室Ｓ１と開放室Ｓ２とに区画されている。
【００３２】
また、このロックアップクラッチ９には、トルク変動を吸収するためのダンパー機構１９が設けられている。このダンパー機構１９は、ピストン１７の外周部に全周に亘って形成された断面逆コの字状の空間内に収容された複数の圧縮コイルスプリング２０（図１には１つのみ図示）を含んで構成されており、各圧縮コイルスプリング２０は、ピストン１７の外周部内面にピン２１によって結着されたリテーナ２２とタービンランナ３（タービンシェル３Ａ）の外周に水平に取り付けられた係止部材２３との間に縮装されている。
【００３３】
ところで、図２に詳細に示すように、前記ダンパーディスク８のハブ１０には、複数の連通孔１０ｂ（図２には１つのみ図示）が周方向に等角度ピッチで形成されるとともに、各連通孔１０ｂが形成された部位には、空間Ｓ３がそれぞれ形成されており、各空間Ｓ３には連通孔１０ｂがそれぞれ開口している。そして、各空間Ｓ３には、遠心ウェイト２４が径方向（図２の上下方向）に移動可能に収容されるとともに、該遠心ウェイト２４を径方向内方（図２の下方）に付勢する付勢手段としてのリターンスプリング（コイルスプリング）２５が縮装されている。ここで、遠心ウェイト２４とリターンスプリング２５は、連通孔１０ｂを開閉してその開口面積を調整するための開閉機構２６を構成している。
【００３４】
次に、以上のように構成されたトルクコンバータ１の作用について説明する。
【００３５】
エンジンが始動されると、トルクコンバータ１においては、エンジンの動力によって回転する出力軸に接続されたコンバータカバー５とこれに結着されたポンプインペラ２が出力軸と共に一体に回転する。すると、粘性によってポンプインペラ２と共に回転するオイルが遠心力によってポンプインペラ２の外周からタービンランナ３に向かって送り出され、このオイルは、ポンプシェル２Ａの内面に沿ってタービンランナ３へと流れ込む。そして、このタービンランナ３へと流れ込んだオイルが複数のタービンブレード３ａに当たるため、慣性力によってタービンランナ３が回転し、タービンランナ３を回したオイルは、外周から中心に向かい、このタービンランナ３から流れ出る際にも反動力によって該タービンランナ３を回転させる。なお、このとき、ロックアップクラッチ９はＯＦＦ（切断）状態にある。
【００３６】
その後、タービンランナ３から流れ出たオイルは、ステータ４によって方向が変えられて中心寄りからポンプインペラ２へと流れ込んで該ポンプインペラ２を回した後、このポンプインペラ２の背面へと回り込んで最初の流れに加わる。このような一連のオイルの流れが繰り返されることによってポンプインペラ２からタービンランナ３へと伝達されるトルクが増幅され、増幅されたトルクは、タービンランナ３からダンパーディスク８へと伝達され、該ダンパーディスク８によってエンジンのトルク変動が吸収される。なお、ポンプインペラ２とタービンランナ３との間に回転差がある間はステータ４は静止してトルク増幅機能を果たすが、ポンプインペラ２とタービンランナ３の回転速度が近づくとステータ４によるトルク増幅効果が薄れ、ステータ４が却ってオイルの流れを妨げるためにワンウェイクラッチ６の作用によってステータ４がタービンランナ３と共に回転（空転）する。
【００３７】
前述のように、タービンランナ３からダンパーディスク８へとトルクが伝達されると、該ダンパディスク８の両ディスクプレート１１，１２とハブ１０が回転するが、前述のように両ディスクプレート１１，１２は、ハブ１０に対して周方向に相対回転可能であるため、エンジンのトルク変動は、両ディスクプレート１１，１２とハブ１０との相対回転に伴う複数の圧縮コイルスプリング１３の弾性変形によって吸収される。そして、このダンパーディスク８によって変動が吸収されたトルクがハブ１０に伝達されることによって、該ハブ１０とこれに結着されたトランスミッションの入力軸が回転駆動され、この入力軸の回転は、トランスミッションによって変速された後、不図示のディファレンシャル装置（差動装置）等を経て左右の駆動輪へと伝達される。
【００３８】
ところで、トルクコンバータ１においてポンプインペラ２とタービンランナ３の回転速度が略同一となった場合であっても、動力の伝達がオイルを介してなされるために動力損失が不可避的に発生し、高い動力伝達効率を確保することができない。そこで、本実施の形態では、ロックアップクラッチ９を設け、ポンプインペラ２とタービンランナ３の回転が略同一となった時点で不図示のオイルポンプから図１に示す締結室Ｓ１に作動油（圧油）を供給してロックアップクラッチ９をＯＮ（接続）し、エンジンの出力軸とトランスミッションの入力軸とを直結するようにしている。具体的には、締結室Ｓ１に作動油が供給されると、この圧力を受けるピストン１７がハブ１０に沿って図１の右方へと摺動し、このピストン１０の外周部外面に取り付けられた摩擦部材１８がコンバータカバー５に圧接されるため、ロックアップ機構９がＯＮ（接続）となって、エンジンの出力軸と共に回転するコンバータカバー５の回転がロックアップクラッチ９のピストン１７からハブ１０を介してトランスミッションの入力軸へと直接（オイルを介することなく）伝達される。この結果、高い動力伝達効率が得られる。
【００３９】
他方、ポンプインペラ２とタービンランナ３との間に回転差が存在する間は、ロックアップクラッチ９は、図１に示すようにＯＦＦ（切断）状態にあり、トルクコンバータ１においては、前述のようにポンプインペラ２の回転は、オイルを介してタービンランナ３へと伝達され、このタービンランナ３の回転は、ダンパーディスク８を経てトランスミッションの入力軸へと伝達される。このように、ロックアップクラッチ９がＯＦＦ状態（切断状態）にあるときには、不図示のオイルポンプから供給される作動油は、図１に矢印にて示すように、開放室Ｓ２へと供給され、開放室Ｓ２から排出経路Ａ，Ｂを経て排出される。
【００４０】
ところで、本実施の形態においては、トルクコンバータ１においてトルク伝達が行われている際にダンパーディスク８のハブ１０が回転するが、このハブ１０に設けられた開閉機構２６においては、ハブ１０の空間Ｓ３に収容された遠心ウェイト２４には径方向外向き（図２の上向き）の遠心力が作用する。ここで、エンジン始動時のようにエンジン回転数がアイドル回転数以下である場合には、ハブ１０の回転速度が低く、該ハブ１０と共に回転する遠心ウェイト２４に作用する遠心力がリターンスプリング２５の付勢力よりも小さいため、遠心ウェイト２４は、図２（ａ）に示すように、空間Ｓ３の径方向内側（底部）に位置して連通孔１０ｂを開放している。このため、図１に示す排出経路Ｂに沿って流れる作動油がハブ１０に形成された連通孔１０ｂを抵抗なくスムーズに流れ、急なオイルの供給に伴うトルクコンバータ１の内部の圧力上昇が抑制される。この結果、エンジン始動時のエンストが防がれ、エンジンの始動性（エンストに対する耐性）が高められる。
【００４１】
エンジン始動後、エンジン回転数がアイドル回転数を超えてトルクコンバータ１におけるダンパーディスク８のハブ１０の回転速度が上がると、開閉機構２６においては、ハブ１０と共に回転する遠心ウェイト２４に作用する遠心力がリターンスプリング２５の付勢力よりも大きくなるため、該遠心ウェイト２４が図２（ｂ）に示すようにリターンスプリング２５の付勢力に抗して径方向外方（図２（ｂ）の上方）へと移動して連通孔１０ｂの開口面積を絞る。そして、エンジン回転数がさらに上がってトルクコンバータ１におけるハブ１０の回転速度もさらに上がると、遠心ウェイト２４に作用する遠心力がさらに大きくなるため、図２（ｃ）に示すように、遠心ウェイト２４が径方向外方（図２（ｃ）の上方）へと移動して連通孔１０ｂを塞いでこれをほぼ全閉状態とする。この結果、図１に示す排出経路Ｂに沿う作動油の流れが遮断され、ポンプインペラ２の回転トルクがオイルを介してタービンランナ３へと効率良く伝達されるために動力伝達効率が高められる。なお、ダンパーディスク８のハブ１０に設けられた開閉機構２６においては、エンジンの回転速度、つまりはハブ１０の回転速度によって遠心ウェイト２４の径方向外方への移動量が変化して連通孔１０ｂの開口面積が連続的に調整されるが、連通孔１０ｂの開口面積の調整度合いは、遠心ウェイト２４の重量とリターンスプリング２５のバネ定数の設定によって決定される。
【００４２】
以上のように、本実施の形態にかかるトルクコンバータ１によれば、エンジン回転数がアイドル回転数以下ではハブ１０の連通孔１０ｂを開き、エンジン回転数がアイドル回転数を超えるとハブ１０の連通孔１０ｂを閉じるようにしたため、車両のエンジン始動性の向上とトルクコンバータ１の高い動力伝達効率の確保を両立させることができるという効果が得られる。
【００４３】
なお、以上の実施の形態では、開閉機構２６をダンパーディスク８のハブ１０に設けたが、この開閉機構２６を例えばタービンランナ３のタービンシェル３Ａに組み込むか、或いはタービンシェル３Ａに取り付けるなどしてもよい。
【００４４】
その他、本発明は、以上説明した実施の形態に適用が限定されるものではなく、特許請求の範囲および明細書と図面に記載された技術的思想の範囲内で種々の変形が可能である。
【符号の説明】
【００４５】
１          車両用トルクコンバータ
２          ポンプインペラ
３          タービンランナ
４          ステータ
５          コンバータカバー
６          ワンウェイクラッチ
８          ダンパーディスク
９          ロックアップクラッチ
１０        ハブ
１０ａ      ハブの長孔
１０ｂ      ハブの連通孔
１１，１２  ディスクプレート
１３        圧縮コイルスプリング
１７        ピストン
１８        摩擦部材
１９        ダンパー機構
２０        圧縮コイルスプリング
２４        遠心ウェイト
２５        リターンスプリング（付勢手段）
２６        開閉機構
Ａ，Ｂ      作動油の排出経路
Ｓ          密閉空間
Ｓ１        締結室
Ｓ２        開放室
Ｓ３        空間
【図１】
2019184021.tif 000003
【図２】
2019184021.tif 000004